(57)【要約】      （修正有）【課題】涼しい風を送ることができ、厳しい暑さの中でも、涼しさを感じられる日傘を提供する。【解決手段】傘の内側に、羽根、モーター、電池などから成る小型扇風機を設置する。羽根（扇風機の羽根と同じ、または似た形のもの）、直流式モーター、乾電池、防護網などから成る小型扇風機を、傘の内側に設置する。乾電池を直流式モーターの電源とし、モーターで羽根を高速回転させて、風を起こす。安全に配慮して、羽根には防護網をかぶせる。【選択図】図４
0003151429.tif 000002
【実用新案登録請求の範囲】
【請求項１】
傘の親骨と中棒をつなぐ、金属製溝付き受骨（図中の８、１６）に、羽根、モーター、電池などから成る小型扇風機を固定した日傘。
【請求項２】
モーターと電池を格納した円筒の底（蓋）に固定された金属片を、傘の親骨と中棒をつなぐ、金属製溝付き受骨（図中の８）に固定することにより、小型扇風機を傘の溝付き受骨（図中の８）に固定した、請求項１記載の日傘。
【請求項３】
モーターと電池を格納した円筒の両側に固定された金属片を、ボルトと中央に円い穴のある金属片を用いて、隣り合う２本の、傘の親骨と中棒をつなぐ、金属製溝付き受骨（図中の１６）に固定することにより、小型扇風機を傘の隣り合う２本の受骨に固定した、請求項１記載の日傘。
【考案の詳細な説明】
【技術分野】
【０００１】  本考案は、日傘に関するものである。
【背景技術】
【０００２】  従来型の日傘は、小型扇風機が付いていないため、風を送ることができない。
【考案の開示】
【考案が解決しようとする課題】
【０００３】  上記のような従来型の日傘は、風を送る装置（小型扇風機）が付いていないため、涼しい風を送ることができず、暑さが厳しい場合には、日傘をさしていても蒸し暑さを感じる。【０００４】  本考案は、従来型の日傘における、構造上の問題を解決しようとするものである。
【課題を解決するための手段】
【０００５】  本考案は、上記の目的を達成するため、傘の内側に、羽根、モーター、電池などから成る小型扇風機を、ひとつまたは二つ設置する。
【考案の効果】
【０００６】  本考案の涼しい日傘は、涼しい風を送ることができる。厳しい暑さの中でも、このような傘をさしていれば、涼しさを感じられる。
【考案を実施するための最良の形態】
【０００７】  実施例１では、羽根（扇風機の羽根と同じ、または似た形のもの）、直流式モーター、乾電池、防護網などから成る小型扇風機を、傘の内側に設置する。乾電池を、直流式モーターの電源とする。モーターで羽根を高速回転させて、風を起こす。安全に配慮して、羽根には防護網をかぶせる。【０００８】  上記の直流式モーターと乾電池は、円筒内に格納されている。円筒の上面の中央には、円い穴がある。円い穴の直径は、モーターの回転軸の直径（回転軸の断面の直径）より大きい。モーターの回転軸（モーターの外側にある、当該部分の回転軸）は、円い穴を経由して円筒の外に露出している。円筒の底には、蓋がある。ねじ込み式の蓋で、円筒にねじ込むことができる。そのため、たやすく電池を交換できる。【０００９】  小さなボルトを２個用いて、上記の小型扇風機を傘の内側に固定する。ボルトが非常に小さいので、締めるための取っ手のようなものを、ナットに設置すれば、締めやすい。具体的な方法は、以下の通りである。傘の親骨と中棒をつなぐ、金属製（針金など）溝付き受骨の底面の幅より広い、２枚の金属片を、上記のモーターと電池を格納した円筒の蓋の左右に、均等に外に突き出すように１枚ずつ固定する。あるいは、前述した円筒の蓋の直径より長く、溝付き受骨の底面の幅より広い、１枚の金属片を、円筒の底面にある蓋の中間部に、両端を均等に外に突き出すように直接固定する。金属片が外に突き出た部分には、ひとつずつ均等に穴をあける。穴の大きさは、上記のボルトの軸に合わせる。【００１０】  次に、溝付き受骨のうち、１本の受骨の底面に穴を二つあける。二つの穴の距離は、上述した円筒の蓋に固定された金属片が、外に突出した部分にあけられた、二つの穴の距離に等しく、穴の大きさも、円筒の蓋に固定された金属片が、外に突出した部分にあけられた穴の大きさに等しい。穴が比較的大きい場合は、溝付き受骨の左右の側面の、金属片の二つの穴に相対する部分を広げ、受骨の底面を広くすれば、穴があけやすくなる。また、傘を造る際、ほかの溝付き受骨より底面が広い受骨を、傘の内側に１本設置してもよい。まず、この幅の広い受骨の両端を押さえつけて（ペンチで挟む、あるいは別の手段を用いて）、ほかの溝付き受骨と同じ長さにし、受骨の両端の上部を、ほかの溝付き受骨の両端の形に合わせて切断する。そうすれば、この幅の広い受骨もほかの溝付き受骨のように、傘の中棒につなげることができる。【００１１】  上述した小型扇風機の、円筒の底（蓋）に設置された金属片が、外に突き出た部分にあけられた穴と、上述した傘の溝付き受骨にあけられた穴を重ね、上記の小さなボルトを通して固定し、ナットをしっかり締める。こうして、溝付き受骨に、扇風機が固定される。【００１２】  また、上述した方法に基づき、傘の内側の反対側に、もうひとつ扇風機を設置すれば、さらに涼しくなる。【００１３】  実施例２では、隣り合う２本の溝付き受骨に、小型扇風機を固定する。具体的な方法は、以下の通りである。モーターと乾電池を格納した円筒の両側に、それぞれ金属片を１枚ずつ固定し、双方の金属片を、上述した隣り合う２本の溝付き受骨に重ねる。小さなボルトを２個用いて、これら２枚の金属片を、上述した隣り���う２本の溝付き受骨に、それぞれ固定する。ボルトの軸が比較的太い場合は、溝付き受骨の両側面の、軸に面する部分を広げて平らにし、底面の幅を広げる。また、傘を造る際、ほかの溝付き受骨より底面が広い受骨を、２本隣り合わせに設置してもよい。押さえつけたり（ペンチで挟む、あるいは別の手段を用いて）、切断したりすることによって、これら２本の幅の広い受骨の両端の長さなどを、ほかの溝付き受骨と完全に一致させる。そうすれば、これら２本の幅の広い受骨も、ほかの溝付き受骨のように、傘の中棒につなげることができる。【００１４】  まず、小型扇風機の両側の金属片を、上述した隣り合う２本の溝付き受骨の適当な位置に重ね、金属片とその下の溝付き受骨の底面に穴をあける。穴の大きさは、上記のボルトの軸に合わせる。また、円形の金属片を２枚設置する。その中央には丸い穴があり、穴の直径は、前述した金属片と溝付き受骨の底面にあけた穴の直径と同じである。円形の金属片の直径は、前述した穴のあいた溝付き受骨の幅より大きい。さらに、上述した小型扇風機の両側の金属片にあけられた穴と、溝付き受骨の底面にあけられた穴を重ねて、上記のボルトを上から通す。また、上記の円形の金属片を、溝付き受骨の下からボルトにはめ、ナットで締める。ナットは、両側に耳（柄）が付いた、蝶ナットがよい。【００１５】  また、傘を閉める際に、小型扇風機を溝付き受骨から取り外す。さもないと、傘を閉めることができない。【００１６】  実施例３では、モーターの電源として、充電式バッテリーを使用する。この場合、モーターは、直流式でも交流式でもかまわない。モーターが直流式の場合は、整流器を設置し、交流電気を直流電気に変換する必要がある。
【実施例１】
【００１７】  図１から図４に沿って説明する。１は羽根である。２はモーターの回転軸である。３はモーターと電池を格納した円筒である。羽根１は、モーターによって高速回転し、風を起こす。４は円筒３の底にある蓋から、外に突き出して設置された金属片である。６は円筒３の底にある蓋の両端から、蓋の外に均等に突き出すように設置された、細長い金属片である。８は傘の親骨と中棒をつなぐ、金属製溝付き受骨である。９はボルトである。ボルト９を用いて、モーターと電池を格納した円筒３の底面に設置された金属片４、あるいは細長い金属片６を、傘の金属製溝付き受骨８に固定する。１０は蝶ナットである。
【実施例２】
【００１８】  図６と図７に沿って説明する。１１は羽根である。１２はモーターの回転軸である。１３はモーターと電池を格納した円筒である。１４は円筒１３の側面に固定された金属片である。１５はボルト１７の軸が通る穴である。１６は傘の親骨と中棒をつなぐ、金属製（針金など）溝付き受骨である。１７はボルトである。１８は中央に円い穴のある、円形の金属片である。円形の金属片１８の直径は、溝付き受骨１６の底面の幅より大きい。羽根１１は、モーターによって高速回転し、風を起こす。図７に示すように、ボルト１７と中央に円い穴のある、円形の金属片１８を用いて、モーターと電池を格納した円筒１３の両側面に設置された金属片１４を、傘の隣り合う２本の溝付き受骨１６に、それぞれ固定する。図５に示すように、ボルト１７のナットも、蝶ナットである。
【実施例３】
【００１９】モーターの電源として、充電式バッテリーを使用する。
【図面の簡単な説明】
【００２０】
【図１】本考案の実施例１における、小型扇風機
【図２】本考案の実施例１における、小型扇風機のモーターと電池を格納した円筒の底の蓋に、２枚の金属片を固定した場合の略図
【図３】本考案の実施例１における、小型扇風機のモーターと電池を格納した円筒の底（蓋）に、１本の細長い金属片を固定した場合の略図
【図４】本考案の実施例１における、傘の親骨と中棒をつなぐ、金属製（針金など）溝付き受骨に、小型扇風機を固定した場合の略図
【図５】蝶ナット
【図６】本考案の実施例２における、小型扇風機のモーターと電池を格納した円筒の両側に設置された金属片の略図
【図７】本考案の実施例２における、傘の親骨と中棒をつなぐ、金属製溝付き受骨に、小型扇風機を固定した場合の略図
【図８】中央に円い穴（ボルトの軸が通る大きさの穴）のある、円形の金属片
【符号の説明】
【００２１】    １  羽根
２  モーターの回転軸
３  モーターと電池を格納した円筒
４  金属片
５  穴
６  細長い金属片
７  穴
８  傘の親骨と中棒をつなぐ、金属製溝付き受骨
９  ボルト
１０  蝶ナット
１１  羽根
１２  モーターの回転軸
１３  モーターと電池を格納した円筒
１４  金属片
１５  穴
１６  傘の親骨と中棒をつなぐ、金属製溝付き受骨
１７  ボルト
１８  中央に円い穴のある、円形の金属片
【図１】
0003151429.tif 000003
【図２】
0003151429.tif 000004
【図３】
0003151429.tif 000005
【図４】
0003151429.tif 000006
【図５】
0003151429.tif 000007
【図６】
0003151429.tif 000008
【図７】
0003151429.tif 000009
【図８】
0003151429.tif 000010
【手続補正書】
【提出日】平成21年3月25日(2009.3.25)
【手続補正１】
【補正対象書類名】実用新案登録請求の範囲
【補正対象項目名】全文
【補正方法】変更
【補正の内容】
【実用新案登録請求の範囲】
【請求項１】
傘の親骨と中棒をつなぐ、金属製溝付き受骨に、羽根、モーター、電池などから成る小型扇風機を固定した日傘。
【請求項２】
モーターと電池を格納した円筒の底に固定された金属片を、傘の親骨と中棒をつなぐ、金属製溝付き受骨に固定することにより、小型扇風機を傘の溝付き受骨に固定した、請求項１記載の日傘。
【請求項３】
モーターと電池を格納した円筒の両側に固定された金属片を、ボルトと中央に円い穴のある金属片を用いて、隣り合う２本の、傘の親骨と中棒をつなぐ、金属製溝付き受骨に固定することにより、小型扇風機を傘の隣り合う２本の受骨に固定した、請求項１記載の日傘。